(57)【特許請求の範囲】
【請求項１】
用意されたサノの表面に柄が入り耐水性を備えるシール部材を貼り付けたシートを作成し、
作成されたシートを花びらの形にカットし、
カットされたシートで造花の花びらを作成する、
ことを特徴とする造花の製造方法。
【請求項２】
用意されたサノの表面に柄が入り耐水性を備えるシール部材を貼り付けたシートを作成し、
作成されたシートを花びらの形にカットし、
カットされたシートで造花の花びらを作成する、
ことにより製造されたことを特徴とする造花。
【請求項３】
用意されたサノの表面に耐水性の染料を含有するインクを用いて所定の模様をスタンプした後にコート剤を塗布したシートを作成し、
作成されたシートを花びらの形にカットし、
カットされたシートで造花の花びらを作成する、
ことを特徴とする造花の製造方法。
【発明の詳細な説明】
【技術分野】
【０００１】
本発明は製造方法および造花に関する。
【背景技術】
【０００２】
サノ（ＳＡＮＯＥ）や、ソラと呼ばれるマメ科ツノクサネム属の木が知られている。サノは、タイ国の水辺等で育つ樹の幹を原材料にする、樹の幹を乾燥させて薄く削った樹片である。
【０００３】
この樹片を用いて造花を作成する方法が知られている。ところで、乾燥したサノの樹片をハサミ等を用いてカットする場合、そのままカットしようとすると、ギザギザして切りにくい。このため、霧吹き等を用いてサノに水をかけることによりある程度湿らせておくと、サノが柔らかくなりカット等の造形が容易になる。このため、造花を作成する際には、水をかけて花びら状にサノをカットをして造花を作成している。
【先行技術文献】
【非特許文献】
【０００４】
【非特許文献１】小菅  弘美"サノフラワーとは"、［online］、平成２５年、［平成２６年６月１９日検索］。インターネット＜URL：http://www.nhf-hirostyle.com/#!sanoe/c14db＞
【発明の概要】
【発明が解決しようとする課題】
【０００５】
サノの樹片は、白色に近い。このため、サノを用いて出来上がる造花は白色に近いものになる。このサノを用いた造花に絵柄を付けることを考える。
【０００６】
前述したように、造花を作成する際にサノに水をかけてサノをある程度湿らせると、絵柄を付けることが難しい。造花の花びらの柄も楽しめて、サノのカットも簡単に出来れば便宜である。
１つの側面では、本発明は、サノを用い、花びらの柄も楽しめる造花を容易に作成することを目的とする。
【課題を解決するための手段】
【０００７】
上記目的を達成するために、開示の造花の製造方法が提供される。この製造方法では、用意されたサノの表面にシール部材を貼り付けたシートを作成し、作成されたシートを花びらの形にカットし、カットされたシートで造花の花びらを作成する。
【発明の効果】
【０００８】
１態様では、サノを用い、花びらの柄も楽しめる造花を容易に作成することができる。
【図面の簡単な説明】
【０００９】
【図１】実施の形態の造花を示す図である。
【図２】造花の製造方法の一例を説明する図である。
【図３】造花の製造方法の一例を説明する図である。
【図４】造花の製造方法の一例を説明する図である。
【図５】造花の製造方法の一例を説明する図である。
【図６】造花の製造方法の一例を説明する図である。
【図７】造花の製造方法の一例を説明する図である。
【図８】造花の製造方法の一例を説明する図である。
【発明を実施するための形態】
【００１０】
以下、実施の形態の造花を、図面を参照して詳細に説明する。
＜実施の形態＞
図１は、実施の形態の造花を示す図である。
造花１は、花びら２と、葉３と、茎４とを有している。
花びら２および葉３は、サノで形成されている。
【００１１】
このサノを用いて形成された花弁は、既製の輸入造花とは趣の異なる、優しくソフトなイメージになる。また、サノは、触れたときの触感が心地よく、造花１を作る際にも癒しを与えてくれる。
【００１２】
花びら２の表面には、シール部材５が貼り付けてある。シール部材５としては、特に限定されないが、ある程度の強度があり、かつ、耐水性を備えるものが好ましい。耐水性のものとしては、マスキングテープ・シールや、転写紙等が挙げられる。また、和紙・ナプキンペーパー、布等の繊維等を用いてもよい。また、シール部材を貼り付ける代わりに、スタンプを貼るようにしてもよい。
以下、造花１の製造方法を説明する。
【００１３】
図２〜図８は、造花の製造方法の一例を説明する図である。
図２（ａ）に示すように、まず、縦１２ｃｍ、横４ｃｍのサノ１０を用意する。次に、用意したサノ１０の表面に耐水性のシール部材５を貼り付けたシート２０を作成する。シール部材５をサノ１０に貼り付ける部材としては、例えばのりや、ボンド等の接着剤やケマージュ（下地とニス代わりに塗る材料）、両面テープ等が挙げられる。
【００１４】
このシート２０を用いて造花１を作成することにより、水でサノ１０を湿らせなくてもサノ１０のカットを容易にすることができる。また、柄が入ったシール部材５を用意すれば、作成された造花１の柄も楽しめ、かつ、作成された花びら２の強度や耐水性を増すことができる。
【００１５】
次に、作成したシート２０を１．５ｃｍ〜２ｃｍ間隔で縦方向にカットし、シート２０ａを作成する。次に作成したシート２０ａを半分にカットし、長辺が６ｃｍの４枚のシート２０ｂを作成する。ここで、図示していないが、シート２０ａまたはシート２０ｂを装飾する目的で、パンチャーやクラフト用のはさみを用いてシート２０ａまたはシート２０ｂを所定の模様にカットしてもよい。
【００１６】
次に、作成した４枚のシート２０ｂのうち、３枚のシート２０ｂを半分に折り、花びらの形にカットすることで３枚のシート２０ｃを作成する。図３（ａ）は、１枚のシート２０ｃを図示している。
【００１７】
次に、図３（ｂ）に示すように、３本のへップ（つぼみの部分）１１を２つに折り、ワイヤー１２で巻き付ける。なお、ワイヤー１２としては、例えば＃３０  １／３を用いる。
【００１８】
次に、図３（ｃ）、（ｄ）に示すように、作成したシート２０ｃの先端部３０ｃ１からヘップ１１の先端部を１ｃｍ程度ずらしてワイヤー１２に巻き付けるように重ねる。これにより、ワイヤー１２のペップ１１に巻き付けた箇所が隠れる。
次に、図４（ａ）、（ｂ）に示すように、残り２枚のシート２０ｃも同様に巻き付け、根元から１〜１．５ｃｍをしっかり潰す。
【００１９】
次に、図４（ｃ）に示すように、根元にワイヤー１３を３回程度巻き付ける。なお、ワイヤー１３としては例えば＃２８  ブラウン１／２等が挙げられる。巻き付けたワイヤー１３の両端部の短い方を下に降ろし、長い方は、ワイヤー１２に巻き付ける。
【００２０】
次に、図５（ａ）に示すように、ワイヤー１３を巻き付けた箇所から下方向に向かってワイヤー１２にフローラルテープ１４を巻き付ける。これにより、茎４が形成される。具体的には、フローラルテープ１４を斜め下に引っ張りながらワイヤー１２に巻き付ける。このときフローラルテープ１４を少し引っ張りながらワイヤー１２に巻き付けることで、フローラルテープ１４が若干伸び、しっかりと巻き付けることができる。また、図５（ｂ）に示すように、シート２０ｃを指で広げることにより、花弁を作成する。
図２〜図５に示した作業により、１つの花１ａを作成することができる。複数の花１ａを作成する場合は、図２〜図５に示した作業を繰り返し行う。
次に、葉３を作成する。
具体的には、図６（ａ）に示すように、ラッピングペーパー１５を用意し、図のようにカットすることで６枚のペーパー１５ａを作成する。
次に、作成したペーパー１５ａをそれぞれ２つに折り、葉３の形にカットしたペーパー１５ｂを作成する。
【００２１】
次に、作成したペーパー１５ｂの下をつまんでワイヤー１６を巻き付ける。なお、ワイヤー１６としては例えば＃２８  ブラウン１／２等が挙げられる。そして、ワイヤー１６を巻き付けた箇所から図４中下方向に向かってワイヤー１６にフローラルテープ１７を巻き付ける。これにより、葉３を作成する。複数の葉３を作成する場合は、図６に示した作業を繰り返し行う。
次に、図７（ａ）に示すように、作成した複数の花１ａを段差を付けて重ねる。図７（ａ）では、３つの花１ａを重ねる例を示している。
【００２２】
複数の花１ａを重ねる場合は、押さえるポイントを動かさないようにしながら、出来上がった花束が丸くなるように、バランス良く重ねていく。フローラルテープ１４は、伸ばすと粘着力が出る。前述したように、フローラルテープ１４は、少し引っ張られた状態でワイヤー１２に巻き付けられている。このため、各花１ａそれぞれに巻き付けられているフローラルテープ１４同士を押さえることで、各花１ａそれぞれの茎部分が互いにくっつく。図７（ｂ）は、花束状にした複数の花１ａを示している。
次に、図７（ｃ）に示すように、葉３を花１ａの隙間に挿入する。
【００２３】
次に、図８に示すように、各花１ａと葉３の茎を束ねてワイヤー１８を３回巻き付け、短くカットして下に降ろす。ワイヤー１８を隠すように幅２ｃｍのテープ１９を巻き付ける。これにより造花１が完成する。
【００２４】
以上述べたように、シート２０を用いて造花１を作成することにより、水でサノ１０を湿らせなくてもサノ１０のカットを容易にすることができる。また、作成された造花１の柄も楽しめ、かつ、作成された花びら２の強度や耐水性を増すことができる。
【００２５】
また、サノ１０の上に耐水性の染料を含有するインクを用いて所定の模様をスタンプした後にコート剤を塗布した材料を用いて造花を作成するようにしてもよい。
【００２６】
以上、本発明の造花の製造方法および造花を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【符号の説明】
【００２７】
１  造花
２  花びら
３  葉
４  茎
５  シール部材
【図１】
0006298751.tif 000002
【図２】
0006298751.tif 000003
【図３】
0006298751.tif 000004
【図４】
0006298751.tif 000005
【図５】
0006298751.tif 000006
【図６】
0006298751.tif 000007
【図７】
0006298751.tif 000008
【図８】
0006298751.tif 000009